(57)【要約】【課題】  空間的制約のある場所においても，簡易な方法で視力を測定する。【解決手段】  遠隔操作装置１０４を操作するユーザの視力を測定する情報処理装置１０２に，装置間距離を測定する距離測定部１２２と；装置間距離，視力測定の視標として表示される視力検査画像の大きさ，および視力測定結果の対応関係を示した視力換算情報記憶部１２８と；所定の大きさの視力検査画像を表示する画像表示部１３４と；遠隔操作装置を介して入力された視力検査画像の認識結果と，表示された視力検査画像とを比較する比較部１３６と；比較部の比較結果に応じて，画像表示部に表示された視力検査画像の大きさを調整する画像調整部１３８と；距離測定部により測定された装置間距離と，画像表示部に表示された視力検査画像の大きさとに対応する視力測定結果を，視力換算情報記憶部から抽出する視力測定結果抽出部１２６と；を備える。【選択図】    図２
2007105097.tif 000002
【特許請求の範囲】
【請求項１】
情報処理装置と，前記情報処理装置を遠隔操作する遠隔操作装置との距離に基づいて，前記遠隔操作装置を操作するユーザの視力を測定する視力測定システムであって：
前記遠隔操作装置は，
ユーザの入力に応じて，前記情報処理装置をして，視力測定を開始せしめる視力測定開始通知を送信する開始通知送信部を備え，
前記情報処理装置は，
前記装置間距離，視力測定の視標として表示される視力検査画像の大きさ，および視力測定結果の対応関係を示した視力換算情報記憶部と；
前記所定の大きさの視力検査画像を表示する画像表示部と；
前記遠隔操作装置からの前記開始通知に応じて，前記装置間距離を測定する距離測定部と；
前記遠隔操作装置を介して入力された前記視力検査画像の認識結果と，前記表示された視力検査画像とを比較する比較部と；
前記比較部の比較結果に応じて，前記画像表示部に表示された前記視力検査画像の大きさを調整する画像調整部と；
前記距離測定部により測定された装置間距離と，前記画像表示部に表示された視力検査画像の大きさとに対応する視力測定結果を，前記視力換算情報記憶部から抽出する視力測定結果抽出部と；
を備えることを特徴とする，視力測定システム。
【請求項２】
前記遠隔操作装置は，
ユーザにより，前記情報処理装置に表示された視力検査画像の認識結果が入力される認識結果入力部を備えることを特徴とする，請求項１に記載の視力測定システム。
【請求項３】
遠隔操作装置により遠隔操作され，前記遠隔操作装置を操作するユーザの視力を測定する情報処理装置であって：
前記情報処理装置から前記遠隔操作装置までの距離である装置間距離を測定する距離測定部と；
前記装置間距離，視力測定の視標として表示される視力検査画像の大きさ，および視力測定結果の対応関係を示した視力換算情報記憶部と；
前記所定の大きさの視力検査画像を表示する画像表示部と；
前記遠隔操作装置を介して入力された前記視力検査画像の認識結果と，前記表示された視力検査画像とを比較する比較部と；
前記比較部の比較結果に応じて，前記画像表示部に表示された前記視力検査画像の大きさを調整する画像調整部と；
前記距離測定部により測定された装置間距離と，前記画像表示部に表示された視力検査画像の大きさとに対応する視力測定結果を，前記視力換算情報記憶部から抽出する視力測定結果抽出部と；
を備えることを特徴とする，情報処理装置。
【請求項４】
前記遠隔操作装置を介して入力された視力測定開始通知を受信する開始通知受信部；を備え，
前記距離測定部は，前記開始通知受信部が視力測定開始通知を受信した場合に前記装置間距離を測定することを特徴とする，請求項３に記載の情報処理装置。
【請求項５】
前記視力測定結果抽出部により抽出された視力測定結果を記憶する視力測定結果記憶部を備え，
前記画像表示部は，ユーザ所望の表示画像を表示し，
前記画像調整部は，
前記距離測定部により測定された装置間距離と，前記記憶された視力測定結果とに応じて，前記表示画像の大きさを調整することを特徴とする，請求項３に記載の情報処理装置。
【請求項６】
前記距離測定部により測定された前記装置間距離の測定値を，該測定値が前記距離測定部により測定された時点を特定する時間情報と関連付けて記憶する測定距離記憶部をさらに備え，
前記画像調整部は，
前記測定距離記憶部に記憶された２以上の前記測定値および該測定値に関連付けられた時間情報に応じて前記表示画像を変更することを特徴とする，請求項３に記載の情報処理装置。
【請求項７】
前記画像調整部は，
前記測定距離記憶部に記憶された２以上の前記測定値の変化量が生じていない場合に，前記視力検査画像を前記画像表示部に表示させることを特徴とする，請求項６に記載の情報処理装置。
【請求項８】
前記画像調整部は，
前記測定距離記憶部に記憶された２以上の前記測定値の測定時間が所定時間以上であった場合に，前記視力検査画像を前記画像表示部に表示させることを特徴とする，請求項６に記載の情報処理装置。
【請求項９】
前記距離測定部は，
前記遠隔操作装置にパケットを送信し，前記送信したパケットに対応する返送パケットを前記遠隔操作装置から受信し，前記パケットの送信から前記返送パケットを受信するまでの所要時間に基づいて前記パケットの往復伝送時間を求めるセンサ部と；
前記往復伝送時間に基づいて前記装置間距離を算出する距離算出部と；
を含むことを特徴とする，請求項３に記載の情報処理装置。
【請求項１０】
遠隔操作装置により遠隔操作され，前記遠隔操作装置を操作するユーザの視力を測定する情報処理装置の情報処理方法において：
前記情報処理装置から前記遠隔操作装置までの距離である装置間距離を測定する距離測定ステップと；
前記所定の大きさの視力検査画像を表示する画像表示ステップと；
前記遠隔操作装置を介して入力された前記視力検査画像の認識結果と，前記表示された視力検査画像とを比較する比較ステップと；
前記比較ステップにおける比較結果に応じて，前記表示された前記視力検査画像の大きさを調整する画像調整ステップと；
前記距離測定ステップにおいて測定された装置間距離と前記表示された視力検査画像の大きさとに対応する視力測定結果を，前記装置間距離，前記視力検査画像の大きさおよび視力測定結果の対応関係を示した視力換算情報記憶部から抽出する視力測定結果抽出ステップと；
を含むことを特徴とする，情報処理方法。
【請求項１１】
遠隔操作装置により遠隔操作され，前記遠隔操作装置を操作するユーザの視力を測定する情報処理装置をして：
前記情報処理装置から前記遠隔操作装置までの距離である装置間距離を測定する距離測定処理と；
前記所定の大きさの視力検査画像を表示する画像表示処理と；
前記遠隔操作装置を介して入力された前記視力検査画像の認識結果と，前記表示された視力検査画像とを比較する比較処理と；
前記比較処理による比較結果に応じて，前記表示された前記視力検査画像の大きさを調整する画像調整処理と；
前記距離測定処理により測定された装置間距離と前記表示された視力検査画像の大きさとに対応する視力測定結果を，前記装置間距離，前記視力検査画像の大きさおよび視力測定結果の対応関係を示した視力換算情報記憶部から抽出する視力測定結果抽出処理と；
を実行せしめることを特徴とする，コンピュータプログラム。
【請求項１２】
情報処理装置を遠隔操作して，前記情報処理装置を遠隔操作するユーザの視力を測定する遠隔操作装置であって：
前記情報処理装置から前記遠隔操作装置までの距離である装置間距離を測定する距離測定部と；
前記情報処理装置に視力測定の視標として表示された視力検査画像の画像情報を取得する画像情報取得部と；
前記装置間距離，前記視力検査画像の大きさ，および視力測定結果の対応関係を示した視力換算情報記憶部と；
ユーザにより，前記情報処理装置に表示された視力検査画像の認識結果が入力される認識結果入力部と；
前記認識結果入力部からの認識結果と，前記取得された視力検査画像とを比較する比較部と；
前記比較部の比較結果に応じて，前記情報処理装置に表示された視力検査画像の大きさの調整を指示する画像調整指示部と；
前記距離測定部により測定された装置間距離と，前記視力検査画像取得部により取得された視力検査画像の大きさとに対応する視力測定結果を，前記視力換算情報記憶部から抽出する視力測定結果抽出部と；
を備えることを特徴とする，遠隔操作装置。
【請求項１３】
ユーザの入力に応じて，視力測定の開始を指示する視力測定開始指示部を備え，
前記距離測定部は，前記視力測定開始指示部からの指示を受けて前記装置間距離を測定することを特徴とする，請求項１２に記載の遠隔操作装置。
【請求項１４】
前記視力測定結果抽出部により抽出された視力測定結果を記憶する視力測定結果記憶部を備え，
前記画像調整指示部は，
前記距離測定部により測定された装置間距離と，前記記憶された視力測定結果とに応じて，前記情報処理装置に表示されるユーザ所望の表示画像の大きさの調整を指示することを特徴とする，請求項１２に記載の遠隔操作装置。
【請求項１５】
前記距離測定部により測定された前記装置間距離の測定値を，該測定値が前記距離測定部により測定された時点を特定する時間情報と関連付けて記憶する測定距離記憶部をさらに備え，
前記画像調整指示部は，
前記測定距離記憶部に記憶された２以上の前記測定値および該測定値に関連付けられた時間情報に応じて表示画像の変更を指示することを特徴とする，請求項１２に記載の遠隔操作装置。
【請求項１６】
前記画像調整指示部は，
前記測定距離記憶部に記憶された２以上の前記測定値の変化量が生じていない場合に，前記視力検査画像の表示を指示することを特徴とする，請求項１５に記載の遠隔操作装置。
【請求項１７】
前記画像調整指示部は，
前記測定距離記憶部に記憶された２以上の前記測定値の測定時間が所定時間以上であった場合に，前記視力検査画像の表示を指示することを特徴とする，請求項１５に記載の遠隔操作装置。
【請求項１８】
前記遠隔操作装置は，ユーザが手に持って片眼の視野を遮蔽する遮眼具であることを特徴とする，請求項１２に記載の遠隔操作装置。
【請求項１９】
情報処理装置を遠隔操作して，前記情報処理装置を遠隔操作するユーザの視力を測定する遠隔操作装置の遠隔操作方法において：
前記情報処理装置から前記遠隔操作装置までの距離である装置間距離を測定する距離測定ステップと；
前記情報処理装置に視力測定の視標として表示された視力検査画像の画像情報を取得する画像情報取得ステップと；
ユーザにより，前記情報処理装置に表示された視力検査画像の認識結果が入力される認識結果入力ステップと；
前記認識結果入力ステップにおいて入力された認識結果と，前記取得された視力検査画像とを比較する比較ステップと；
前記比較ステップにおける比較結果に応じて，前記情報処理装置に表示された視力検査画像の大きさの調整を指示する画像調整指示ステップと；
前記距離測定ステップにおいて測定された装置間距離と前記視力検査画像取得ステップにおいて取得された視力検査画像の大きさとに対応する視力測定結果を，前記装置間距離，前記視力検査画像の大きさ，および視力測定結果の対応関係を示した視力換算情報記憶部から抽出する視力測定結果抽出ステップと；
を含むことを特徴とする，遠隔操作方法。
【請求項２０】
情報処理装置を遠隔操作して，前記情報処理装置を遠隔操作するユーザの視力を測定する遠隔操作装置をして：
前記情報処理装置から前記遠隔操作装置までの距離である装置間距離を測定する距離測定処理と；
前記情報処理装置に視力測定の視標として表示された視力検査画像の画像情報を取得する画像情報取得処理と；
ユーザにより，前記情報処理装置に表示された視力検査画像の認識結果が入力される認識結果入力処理と；
前記認識結果入力処理による認識結果と，前記取得された視力検査画像とを比較する比較処理と；
前記比較処理による比較結果に応じて，前記情報処理装置に表示された視力検査画像の大きさの調整を指示する画像調整指示処理と；
前記距離測定処理により測定された装置間距離と前記視力検査画像取得処理により取得された視力検査画像の大きさとに対応する視力測定結果を，前記装置間距離，前記視力検査画像の大きさ，および視力測定結果の対応関係を示した視力換算情報記憶部から抽出する視力測定結果抽出処理と；
を実行せしめることを特徴とする，コンピュータプログラム。
【発明の詳細な説明】
【技術分野】
【０００１】
本発明は，視力測定システム，情報処理装置，遠隔操作装置，情報処理方法，遠隔操作方法およびコンピュータプログラムに関し，特に，情報処理装置と遠隔操作装置との距離に応じて，遠隔操作装置を操作するユーザの視力を測定することが可能な視力測定システム等に関する。
【背景技術】
【０００２】
従来，テレビ等の画像を表示するディスプレイを有する情報処理装置では，画像の大きさはディスプレイの大きさで決定される。しかし，テレビを視聴するユーザは，常にテレビから一定距離離れた位置で視聴するとは限らず，表示された画像が見えにくい場合には，ユーザが認識可能な距離まで移動しなければならなかった。
【０００３】
そこで，上記問題を解決するために，ユーザとテレビとの距離に応じて，ディスプレイに表示される画像の大きさを変更し，ユーザにとって見やすい画像を提供する技術が開示されている（例えば，特許文献１）。
【０００４】
一方，視力を測定する場合には，一般に，視力を測定するための視標をディスプレイに表示させ，ユーザが視標を最も見やすい位置に移動したり，ディスプレイを移動させたりしてユーザが視標を認識可能か否かを調べて行われている。
【０００５】
【特許文献１】特開２００３−１４０６３０号公報
【発明の開示】
【発明が解決しようとする課題】
【０００６】
しかし，上記方法による視力測定においては，ディスプレイとユーザとの距離を一定以上確保できる空間が必要となる。また，光学レンズを用いて狭い空間でも視力を測定可能な装置が開発されているが，そのような視力測定用の専用装置は，眼科やめがね販売店に備えられ，一般家庭に普及されるものではなかった。
【０００７】
昨今，高度情報化社会において，ユーザがディスプレイに向かう時間は長くなり，それによるユーザの視力低下や眼の疲労などが問題となっているため，ディスプレイによる視力への影響を日常的に測定する方法が求められている。
【０００８】
上記のような視力測定用の専用装置は，コストの面から一般家庭に普及することは難しいため，一般に広く普及されているテレビなどを用いて日常的に視力を測定する装置が望まれる。また，上記特許文献１に開示されているように，ユーザとディスプレイを有する情報処理装置との距離に応じて，ディスプレイに表示された画像の大きさを変更することにより，空間的制約のある場所においても，視力を測定可能な装置が望まれている。
【０００９】
そこで，本発明は，このような問題に鑑みてなされたもので，その目的とするところは，空間的制約のある場所においても，簡易な方法で視力を測定することが可能な，新規かつ改良された，視力測定システム，情報処理装置，遠隔操作装置，情報処理方法，遠隔操作方法およびコンピュータプログラムを提供することにある。
【課題を解決するための手段】
【００１０】
上記課題を解決するために，本発明のある観点によれば，情報処理装置と，情報処理装置を遠隔操作する遠隔操作装置との距離に基づいて，遠隔操作装置を操作するユーザの視力を測定する視力測定システムが提供される。上記遠隔操作装置は，ユーザの入力に応じて，情報処理装置をして，視力測定を開始せしめる視力測定開始通知を送信する開始通知送信部を備える。
【００１１】
上記情報処理装置は，装置間距離，視力測定の視標として表示される視力検査画像の大きさ，および視力測定結果の対応関係を示した視力換算情報記憶部と；所定の大きさの視力検査画像を表示する画像表示部と；遠隔操作装置からの開始通知に応じて，装置間距離を測定する距離測定部と；遠隔操作装置を介して入力された視力検査画像の認識結果と，表示された視力検査画像とを比較する比較部と；比較部の比較結果に応じて，画像表示部に表示された視力検査画像の大きさを調整する画像調整部と；距離測定部により測定された装置間距離と，画像表示部に表示された視力検査画像の大きさとに対応する視力測定結果を，視力換算情報記憶部から抽出する視力測定結果抽出部と；を備える。
【００１２】
上記発明によれば，遠隔操作装置は，ユーザの入力に応じて視力測定開始通知を情報処理装置に送信し，情報処理装置は，視力測定開始通知に応じて情報処理装置から遠隔操作装置までの装置間距離を測定する。情報処理装置の画像表示部には，視力検査画像が表示され，表示された視力検査画像の認識結果が遠隔操作装置を介してユーザにより入力される。情報処理装置は，入力された認識結果と表示された視力検査画像の大きさを比較し，比較結果に応じて表示された視力検査画像の大きさを調整する。そして，情報処理装置は，測定した装置間距離と，表示された視力検査画像の大きさとに対応する視力測定結果を，装置間距離，視力検査画像の大きさおよび視力測定結果の対応関係を示した視力換算情報記憶部から抽出する。
【００１３】
上記構成によれば，視力検査画像の大きさをユーザの認識結果に応じて変更することにより，遠隔操作装置を操作するユーザの視力を測定することができる。装置間距離を測定することにより，遠隔操作装置を操作するユーザが情報処理装置からどれくらい離れた場所に位置しているのかがわかるため，ユーザは，自身の位置する場所を留意することなく，視力を測定することが可能となる。また，装置間距離に応じて表示された視力検査画像の大きさが変化し，装置間距離と視力検査画像との対応関係から視力を測定することが可能となるため，空間的制約のある場所においても，視力を測定することができる。また，情報処理装置をテレビなどで構成し，遠隔操作装置をリモコンなどで構成することができるため，視力を測定するためだけの特殊な装置は不要であるため，一般家庭において，簡易な操作で日常的に視力を測定することが可能となる。
【００１４】
上記遠隔操作装置は，ユーザにより，情報処理装置に表示された視力検査画像の認識結果が入力される認識結果入力部を備えてもよい。
【００１５】
上記課題を解決するために，本発明の別の観点によれば，遠隔操作装置により遠隔操作され，遠隔操作装置を操作するユーザの視力を測定する情報処理装置であって：情報処理装置から遠隔操作装置までの距離である装置間距離を測定する距離測定部と；装置間距離，視力測定の視標として表示される視力検査画像の大きさ，および視力測定結果の対応関係を示した視力換算情報記憶部と；所定の大きさの視力検査画像を表示する画像表示部と；遠隔操作装置を介して入力された視力検査画像の認識結果と，表示された視力検査画像とを比較する比較部と；比較部の比較結果に応じて，画像表示部に表示された視力検査画像の大きさを調整する画像調整部と；距離測定部により測定された装置間距離と，画像表示部に表示された視力検査画像の大きさとに対応する視力測定結果を，視力換算情報記憶部から抽出する視力測定結果抽出部と；を備えることを特徴とする，情報処理装置が提供される。
【００１６】
上記発明によれば，情報処理装置は，情報処理装置から遠隔操作装置までの装置間距離を測定する。情報処理装置の画像表示部には，視力検査画像が表示され，表示された視力検査画像の認識結果が遠隔操作装置を介してユーザにより入力される。情報処理装置は，入力された認識結果と表示された視力検査画像の大きさとを比較し，比較結果に応じて表示された視力検査画像の大きさを調整する。そして，情報処理装置は，測定した装置間距離と，表示された視力検査画像の大きさとに対応する視力測定結果を，装置間距離，視力検査画像の大きさおよび視力測定結果の対応関係を示した視力換算情報記憶部から抽出する。
【００１７】
上記構成によれば，視力検査画像の大きさをユーザの認識結果に応じて変更することにより，遠隔操作装置を操作するユーザの視力を測定することができる。装置間距離を測定することにより，遠隔操作装置を操作するユーザが情報処理装置からどれくらい離れた場所に位置しているのかがわかるため，ユーザは，自身の位置する場所を留意することなく，視力を測定することが可能となる。また，装置間距離に応じて表示された視力検査画像の大きさが変化し，装置間距離と視力検査画像との対応関係から視力を測定することが可能となるため，空間的制約のある場所においても，視力を測定することができる。また，情報処理装置をテレビなどで構成し，遠隔操作装置をリモコンなどで構成することができるため，視力を測定するためだけの特殊な装置は不要であるため，一般家庭において，簡易な操作で日常的に視力を測定することが可能となる。
【００１８】
また，上記情報処理装置は，遠隔操作装置を介して入力された視力測定開始通知を受信する開始通知受信部；を備え，上記距離測定部は，開始通知受信部が視力測定開始通知を受信した場合に装置間距離を測定するようにしてもよい。これにより，ユーザにより遠隔操作装置のボタン等が押下されて視力測定開始通知を受信した場合に視力測定を開始することができ，ユーザは，情報処理装置からの位置に留意することなく，任意の場所でいつでも視力測定を開始することができる。
【００１９】
また，上記視力測定結果抽出部により抽出された視力測定結果を記憶する視力測定結果記憶部を備え，画像表示部はユーザ所望の表示画像を表示し，画像調整部は，距離測定部により測定された装置間距離と，記憶された視力測定結果とに応じて，表示画像の大きさを調整してもよい。これにより，遠隔操作装置を操作するユーザの視力に適した画像の大きさを表示して，ユーザに見やすい適切な表示を行うことができる。
【００２０】
また，上記距離測定部により測定された装置間距離の測定値を，該測定値が距離測定部により測定された時点を特定する時間情報と関連付けて記憶する測定距離記憶部をさらに備え，画像調整部は，測定距離記憶部に記憶された２以上の測定値および該測定値に関連付けられた時間情報に応じて表示画像を変更してもよい。これにより，装置間距離の測定値の変化や測定された時間間隔に応じて，視力検査画像を表示して視力測定を促す表示や，休憩を促す表示をして，視力低下や目の疲れを防止することが可能となる。
【００２１】
また，上記画像調整部は，測定距離記憶部に記憶された２以上の測定値の変化量が生じていない場合に，視力検査画像を画像表示部に表示させてもよいし，測定距離記憶部に記憶された２以上の測定値の測定時間が所定時間以上であった場合に，視力検査画像を画像表示部に表示させてもよい。
【００２２】
また，上記距離測定部は，遠隔操作装置にパケットを送信し，送信したパケットに対応する返送パケットを遠隔操作装置から受信し，パケットの送信から返送パケットを受信するまでの所要時間に基づいてパケットの往復伝送時間を求めるセンサ部と；往復伝送時間に基づいて装置間距離を算出する距離算出部と；を含むようにしてもよい。これにより，情報処理装置は，高い精度で高速に装置間距離を測定することができる。
【００２３】
また，上記情報処理装置は，ユーザ所望の音声を再生する音声再生部と；距離測定部により測定された距離に応じて音声再生部により再生される音声の大きさを調整する音声調整部と；を備えてもよい。これにより，測定して装置間距離に応じて，情報処理装置で再生される音声の大きさを調整することが可能となる。
【００２４】
上記課題を解決するために，本発明の別の観点によれば，遠隔操作装置により遠隔操作され，遠隔操作装置を操作するユーザの視力を測定する情報処理装置の情報処理方法が提供される。本情報処理方法は，情報処理装置から遠隔操作装置までの距離である装置間距離を測定する距離測定ステップと；所定の大きさの視力検査画像を表示する画像表示ステップと；遠隔操作装置を介して入力された視力検査画像の認識結果と，表示された視力検査画像とを比較する比較ステップと；比較部の比較結果に応じて，表示された視力検査画像の大きさを調整する画像調整ステップと；距離測定ステップにより測定された装置間距離と表示された視力検査画像の大きさとに対応する視力測定結果を，装置間距離，視力検査画像の大きさおよび視力測定結果の対応関係を示した視力換算情報記憶部から抽出する視力測定結果抽出ステップと；を含む。
【００２５】
上記課題を解決するために，本発明の別の観点によれば，コンピュータに上記の情報処理装置として機能させるコンピュータプログラムが提供される。コンピュータプログラムは，コンピュータが備える記憶部に格納され，コンピュータが備えるＣＰＵに読み込まれて実行されることにより，そのコンピュータを上記の情報処理装置として機能させる。また，コンピュータプログラムが記録された，コンピュータで読み取り可能な記録媒体も提供される。記録媒体は，例えば，磁気ディスク，光ディスクなどである。
【００２６】
上記課題を解決するために，本発明の別の観点によれば，情報処理装置を遠隔操作して，情報処理装置を遠隔操作するユーザの視力を測定する遠隔操作装置であって：情報処理装置から遠隔操作装置までの距離である装置間距離を測定する距離測定部と；情報処理装置に視力測定の視標として表示された視力検査画像の画像情報を取得する画像情報取得部と；装置間距離，視力検査画像の大きさ，および視力測定結果の対応関係を示した視力換算情報記憶部と；ユーザにより，情報処理装置に表示された視力検査画像の認識結果が入力される認識結果入力部と；認識結果入力部からの認識結果と，取得された視力検査画像とを比較する比較部と；比較部の比較結果に応じて，情報処理装置に表示された視力検査画像の大きさの調整を指示する画像調整指示部と；距離測定部により測定された装置間距離と，視力検査画像取得部により取得された視力検査画像の大きさとに対応する視力測定結果を，視力換算情報記憶部から抽出する視力測定結果抽出部と；を備えることを特徴とする，遠隔操作装置が提供される。
【００２７】
上記発明によれば，遠隔操作装置は，遠隔操作装置から情報処理装置までの装置間距離を測定する。情報処理装置には視力検査画像が表示され，表示された視力検査画像の画像情報を取得する。そして，ユーザにより入力された視力検査画像の認識結果と，取得した視力検査画像の大きさとを比較し，比較結果に応じて表示された視力検査画像の大きさを調整するように情報処理装置に指示する。遠隔操作装置は，測定した装置間距離と，表示された視力検査画像の大きさとに対応する視力測定結果を，装置間距離，視力検査画像の大きさおよび視力測定結果の対応関係を示した視力換算情報記憶部から抽出する。
【００２８】
上記構成によれば，視力検査画像の大きさをユーザの認識結果に応じて変更することにより，遠隔操作装置を操作するユーザの視力を測定することができる。装置間距離を測定することにより，遠隔操作装置を操作するユーザが情報処理装置からどれくらい離れた場所に位置しているのかがわかるため，ユーザは，情報処理装置からの位置に留意することなく，視力を測定することが可能となる。また，装置間距離に応じて表示された視力検査画像の大きさが変化し，装置間距離と視力検査画像との対応関係から視力を測定することが可能となるため，空間的制約のある場所においても，視力を測定することができる。また，情報処理装置をテレビなどで構成し，遠隔操作装置をリモコンなどで構成することができ，視力を測定するためだけの特殊な装置は不要であるため，一般家庭において，簡易な操作で日常的に視力を測定することが可能となる。
【００２９】
また，上記遠隔操作装置は，ユーザの入力に応じて，視力測定の開始を指示する視力測定開始指示部を備え，距離測定部は，視力測定開始指示部からの指示を受けて装置間距離を測定するようにしてもよい。
【００３０】
上記遠隔操作装置は，視力測定結果抽出部により抽出された視力測定結果を記憶する視力測定結果記憶部を備え，画像調整指示部は，距離測定部により測定された装置間距離と，記憶された視力測定結果とに応じて，情報処理装置に表示されるユーザ所望の表示画像の大きさの調整を指示するようにしてもよい。
【００３１】
上記遠隔操作装置は，距離測定部により測定された装置間距離の測定値を，該測定値が距離測定部により測定された時点を特定する時間情報と関連付けて記憶する測定距離記憶部をさらに備え，画像調整指示部は，測定距離記憶部に記憶された２以上の測定値および該測定値に関連付けられた時間情報に応じて表示画像の変更を指示するようにしてもよい。
【００３２】
上記画像調整指示部は，測定距離記憶部に記憶された２以上の測定値の変化量が生じていない場合に，視力検査画像の表示を指示してもよいし，測定距離記憶部に記憶された２以上の測定値の測定時間が所定時間以上であった場合に，視力検査画像の表示を指示してもよい。
【００３３】
上記遠隔操作装置は，ユーザが手に持って片眼の視野を遮蔽する遮眼具であってもよい。これにより，ユーザの目の位置と情報処理装置との距離を測定することができ，リモコン等を用いて視力を測定する場合に比べ，より正確にユーザの視力を測定することが可能となる。また，片目を遮蔽して視力を測定することができるため，右目の視力と，左目の視力とを別々に測定することが可能となる。
【００３４】
上記課題を解決するために，本発明の別の観点によれば，情報処理装置を遠隔操作して，情報処理装置を遠隔操作するユーザの視力を測定する遠隔操作装置の遠隔操作方法が提供される。本遠隔操作方法は，情報処理装置から遠隔操作装置までの距離である装置間距離を測定する距離測定ステップと；情報処理装置に視力測定の視標として表示された視力検査画像の画像情報を取得する画像情報取得ステップと；ユーザにより，情報処理装置に表示された視力検査画像の認識結果が入力される認識結果入力ステップと；認識結果入力部からの認識結果と，取得された視力検査画像とを比較する比較ステップと；比較部の比較結果に応じて，情報処理装置に表示された視力検査画像の大きさの調整を指示する画像調整指示ステップと；距離測定部により測定された装置間距離と視力検査画像取得部により取得された視力検査画像の大きさとに対応する視力測定結果を，装置間距離，視力検査画像の大きさ，および視力測定結果の対応関係を示した視力換算情報記憶部から抽出する視力測定結果抽出ステップと；を含む。
【００３５】
また，上記課題を解決するために，本発明の別の観点によれば，コンピュータに上記の遠隔操作装置として機能させるコンピュータプログラムが提供される。コンピュータプログラムは，コンピュータが備える記憶部に格納され，コンピュータが備えるＣＰＵに読み込まれて実行されることにより，そのコンピュータを上記の情報処理装置として機能させる。また，コンピュータプログラムが記録された，コンピュータで読み取り可能な記録媒体も提供される。記録媒体は，例えば，磁気ディスク，光ディスクなどである。
【発明の効果】
【００３６】
以上説明したように本発明によれば，空間的制約のある場所においても，簡易な方法で視力を測定することが可能な，視力測定システム，情報処理装置，遠隔操作装置，情報処理方法，遠隔操作方法およびコンピュータプログラムを提供できるものである。
【発明を実施するための最良の形態】
【００３７】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００３８】
以下では，本発明にかかる視力測定システムを，情報処理装置１０２と，情報処理装置１０２を遠隔操作する遠隔操作装置１０４を含む視力測定システム１００に適用して説明する。ユーザが，遠隔操作装置１０４を手にして移動することにより，情報処理装置１０２と遠隔操作装置１０４の距離が変わる。情報処理装置１０２は，遠隔操作装置１０４との装置間距離を測定する。情報処理装置１０２は，ディスプレイなどの画像を表示する画像表示部を有し，測定した装置間距離に応じて，画像表示部に表示された画像の大きさを変化させる。また，ユーザが，遠隔操作装置１０４を介して情報処理装置１０２に表示された画像を認識可能か否かを入力し，その入力に応じて画像を調整することができる。さらに，情報処理装置１０２は，調整した画像の大きさと装置間距離とに対応する視力測定結果を抽出することにより，遠隔操作装置１０４を操作するユーザの視力を測定することができる。また，情報処理装置１０２は，視力測定結果と，ユーザが手にする遠隔操作装置１０４との距離とから，ユーザの視力に適した画像を表示させる。
【００３９】
図１は，本実施形態にかかる視力測定システム１００の概略を示した説明図である。例えば，図１に示したように，遠隔操作装置１０４をユーザ５０が手にしており，遠隔操作装置１０４と情報処理装置１０２との距離がＸであるとする。情報処理装置１０２の画像表示部には，視力測定用の視標６０が表示されている。情報処理装置１０２は，情報処理装置１０２と遠隔操作装置１０４との距離Ｘを測定する。ユーザ５０は，遠隔操作装置１０４を介して，情報処理装置１０２の画像表示部に表示された視標６０が認識可能か否かの入力を行う。情報処理装置１０２は，ユーザによる認識結果の入力に応じて視標６０の大きさを調整する。そして，調整した結果，画像表示部に表示された視標６０の大きさと，測定した距離Ｘとから，視力測定結果を抽出することにより，ユーザ５０の視力を測定する。
【００４０】
以下で，情報処理装置１０２と遠隔操作装置１０４との間の距離を情報処理装置１０２が測定する場合を第１実施形態として説明し，遠隔操作装置１０４が測定する場合を第２実施形態として説明する。
【００４１】
（第１実施形態）
第１実施形態にかかる視力測定システム１００では，情報処理装置１０２が，情報処理装置１０２から遠隔操作装置１０４までの距離を測定し，測定された距離等に応じて情報処理装置１０２に表示された画像の大きさを変更したり，表示された画像の大きさから視力を測定したりする。まず，図２に基づいて，情報処理装置１０２および遠隔操作装置１０４の機能構成について説明する。
【００４２】
遠隔操作装置１０４は，情報処理装置１０２を遠隔操作することができる機器である。遠隔操作装置１０４としては，ユーザが持ち運び可能で，容易に移動させることができる程度の大きさ，重さの機器であることが望ましく，例えば，テレビ等の操作を行うリモートコントローラ（リモコンとも称す。），携帯電話，ＰＤＡ（Ｐｅｒｓｏｎａｌ  Ｄｉｇｉｔａｌ  Ａｓｓｉｓｔａｎｔ），携帯型音楽プレーヤなどを例示できる。
【００４３】
遠隔操作装置１０４は，例えば，指示入力部１１０と開始通知送信部１１２と認識結果入力部１１４などを備える。指示入力部１１０は，視力測定開始指示部の一例であり，ユーザからの視力測定開始指示を入力し，入力された視力測定開始指示を開始通知送信部１１２に提供する。例えば，遠隔操作装置１０４にボタンなどを備え，指示入力部１１０は，ボタンが押下された場合に，ユーザからの視力測定開始指示として開始通知送信部１１２に入力するようにしてもよい。
【００４４】
開始通知送信部１１２は，指示入力部１１０から視力測定開始指示を受けて，情報処理装置１０２に装置間距離の測定を開始させる開始通知を送信する。認識結果入力部１１４は，ユーザからの視力検査画像の認識結果を入力し，入力された認識結果を情報処理装置１０２に送信する機能を有する。認識結果入力は，遠隔操作装置１０４に備えられたボタンにより入力される。例えば，情報処理装置１０２に表示された視力検査画像が，円の一部が欠けた画像であった場合に，円のどの部分が欠けているのかを認識した結果をボタンにより入力するようにしてもよい。リモコンに十字ボタンが備えられている場合には，ユーザが円の右側が欠けていると認識した場合には，十字ボタンの右側を押下し，円の上側が欠けていると認識した場合には，十字ボタンの上側を押下するようにしてもよい。また，情報処理装置１０２に文字や数字を表示させるようにして，リモコンの数字キーなどにより，文字や数字の認識結果を入力させるようにしてもよい。
【００４５】
情報処理装置１０２は，例えば，開始通知受信部１２０と，距離測定部１２２と，測定距離記憶部１２４と，視力測定結果抽出部１２６と，視力換算情報記憶部１２８と，視力測定結果記憶部１３０と，認識結果受信部１３２と，画像表示部１３４と，比較部１３６と，画像調整部１３８などを備える。
【００４６】
開始通知受信部１２０は，遠隔操作装置１０４からの視力測定開始通知を受信し，受信した視力測定開始通知を距離測定部１２２に提供する。遠隔操作装置１０４の開始通知送信部１１２と開始通知受信部１２０との間の通信は，赤外線通信，Ｂｌｕｅｔｏｏｔｈ，ＵＷＢ（Ｕｌｔｒａ  Ｗｉｄｅ  Ｂａｎｄ）などの無線通信であってもよいし，有線通信であってもよい。
【００４７】
距離測定部１２２は，開始通信受信部１２０からの視力測定開始通知に応じて，情報処理装置１０２から遠隔操作装置１０４までの距離を測定する機能を有する。つまり，ユーザにより視力測定開始指示が入力されると，距離測定部１２２により，装置間距離が測定される。距離測定部１２２は，視力測定開始を通知された後，所定の間隔ごとに装置間距離を測定するようにしてもよい。これにより，視力測定中にユーザが移動したとしても，常に正確な視力を測定することが可能となる。
【００４８】
距離測定部１２２が行う装置間距離の測定方法として，複数の方法が挙げられる。例えば，距離測定部１２２をレーダとして構成し，電磁波を遠隔操作装置１０４に向けて発してその反射波を測定することにより遠隔操作装置１０４までの距離を取得することができる。また，距離測定部１２２は，電磁波を利用して電磁波の強度から装置間距離を取得することや，音波を利用して距離を測定することもできる。本実施形態では，距離測定部１２２は，ＵＷＢ通信を遠隔操作装置１０４と行うことにより，装置間距離を測定する。図３を参照してＵＷＢ通信による装置間距離の測定について詳細に説明する。
【００４９】
図３は，距離測定部１２２を詳細に示した図面である。図３に示すように，距離測定部１２２は，センサ部１５０および距離算出部１５２を含んで構成される。センサ部１５０は，遠隔操作装置１０４に設けられる受信側センサ部（図示せず）との間でＵＷＢ通信を行い，情報処理装置１０２と遠隔操作装置１０４との間で電波が空間を飛んだ時間を求める。
【００５０】
ＵＷＢ通信による測距の方法は，例えば特開２００４−２５８００９に開示されている方法を用いることができる。つまり，センサ部１５０はまず，パケット（パケットの中身は何でもよく，空であってもよいし，ビーコンなどであってもよい）を遠隔操作装置１０４の受信側センサ部に送信する。センサ部１５０はカウンタを有し，パケットの送信とともにカウンタを始動させて時間の計測を開始する。受信側センサ部は，センサ部１５０から送信されたパケットを検出し，検出時から所定の単位時間の整数倍の時間経過後にパケットをセンサ部１５０に返送する。センサ部１５０は，返送されたパケットを検出するとカウンタをとめる。そしてセンサ部１５０は，カウンタにより計測された，パケットを送信してから返送パケットを受信するまでの所要時間から上記所定の単位時間の整数倍を除去してパケットの往復伝送時間を求める。なお，上述の所定の単位時間は，センサ部１５０の通信可能距離を無線信号（パケット）の伝送速度で割った値から求める。距離算出部１５２は，センサ部１５０によって求められた往復伝送時間に基づいて，装置間距離を算出する。通常，時間と距離は線形的に比例するので，距離をＹ，時間をＸとした場合に，Ｙ＝Ｘ＊ａ＋ｂ（ａ，ｂは任意の値）で表すことができる。また，測定誤差が生じた場合に備えて，距離算出部１５２は，キャリブレーションなどにより誤差を吸収できるようにするとよい。
【００５１】
上記のＵＷＢ通信を用いた測距方法によれば，距離測定部１２２は，他の測距方法に比べて装置間の正確な距離を高速に取得することができる。また，開始通信受信部１２０により行われる視力測定開始の受信等をセンサ部１５０が行うこともできるため，１つのＵＷＢ通信手段を情報処理装置１０２に設ければ済むという利点がある。
【００５２】
図２に戻り，距離測定部１２２は，装置間距離の測定値（以後，単に測定値とも称する。）を，測定値が測定された時点を特定する時間情報と関連付けて測定距離記憶部１２４に記録する。また，測定値を視力測定結果抽出部１２６に提供する。測定距離記憶部１２４は，ＲＡＭやフラッシュメモリなどを含んで構成され，上述のように，装置間距離の測定値を，測定値が距離測定部により測定された時点を特定する時間情報と関連付けて記憶する。
【００５３】
視力測定結果抽出部１２６は，距離測定部１２２により測定された装置間距離の測定値と，画像表示部１３４に表示された視力検査画像の大きさとに対応する視力測定結果を，視力換算情報記憶部１２８から抽出する機能を有する。図４に視力換算情報記憶部１２８の記憶内容の一例を示した。図４に示したように，視力換算情報記憶部１２８には，装置間距離１２８０，視力測定の指標として表示される視力検査画像の大きさ１２８２，および視力測定結果１２８４が対応付けられて記憶されている。例えば，装置間距離１２８０が１ｍ，視力検査画像の大きさ１２８２が６ドットの場合には，視力測定結果は１．５となる。また，装置間距離１２８０が３ｍ，視力検査画像の大きさ１２８２が１０ドットの場合には，視力測定結果は１．５となる。
【００５４】
図５に，装置間距離と視力検査画像の大きさを説明する説明図を示した。図５（ａ）は，情報処理装置１０２と，遠隔操作装置１０４との距離が１ｍの場合，つまり，遠隔操作装置１０４を操作するユーザが情報処理装置１０２に近づいて視力測定を行う場合の図である。図５（ｂ）は，情報処理装置１０２と，遠隔操作装置１０４の距離が３ｍの場合，つまり，遠隔操作装置１０４を操作するユーザが情報処理装置１０２から離れた位置で視力測定を行う場合の図である。図５（ａ）の情報処理装置１０２に表示された視力検査画像６１は，図５（ｂ）の情報処理装置１０２に表示された視力検査画像５２よりも相対的に小さく表示される。
【００５５】
例えば，図４に示したように，装置間距離が１ｍの場合，０．１〜１．５までの視力測定結果を得るためには，視力検査画像の大きさは６〜２４ドットであるが，装置間距離が３ｍの場合，０．１〜１．５までの視力測定結果を得るためには，視力検査画像の大きさは１０〜４８ドットとなる。従来，ユーザは，視力検査装置からの距離，つまり，自身の位置に留意して視力を測定しなければならなかった。しかし，本実施形態にかかる視力測定システムにおいては，ユーザが情報処理装置１０２からの自身の位置を留意せずとも，装置間距離に応じて視力検査画像を変化させて，視力を測定することが可能となる。
【００５６】
図２に戻り，視力測定結果抽出部１２６は，視力換算情報記憶部１２８から抽出した視力測定結果を視力測定結果記憶部１３０に記録する。視力測定結果記憶部１３０には，遠隔操作装置１０４を操作するユーザの視力となる視力測定結果が記憶される。複数のユーザが遠隔操作装置１０４を操作する場合には，各ユーザの視力測定結果を記憶するようにしてもよい。また，１のユーザの視力測定結果を時間情報と関連付けて記憶して，視力測定結果を時系列で記憶するようにしてもよい。これにより，ユーザは，過去に測定した視力と，現在測定された視力とを対比することが可能となる。
【００５７】
認識結果受信部１３２は，遠隔操作装置１０４の認識結果入力部１１４に入力された視力検査画像の認識結果を受信する機能を有する。上述したように，遠隔操作装置１０４に入力される認識結果は，ユーザにより表示された視力検査画像の認識結果であり，円のどの部分が欠けているかが入力されたり，表示された数字や文字を認識した結果が入力されたりするようにしてもよい。認識認識結果受信部１３２は，受信した視力検査画像の認識結果を比較部１３６に提供する。
【００５８】
画像表示部１３４は，ディスプレイなどの画像を表示する表示装置であって，所定の大きさの視力検査画像を表示する機能を有する。画像表示部１３４は，後述する画像調整部１３８の指示により，表示された画像の大きさを縮小，拡大する。画像表示部１３４に表示されている画像の画像情報（画像の大きさ等）は，視力測定結果抽出部１２６および比較部１３６に提供される。上述したように，視力測定結果抽出部１２６は，測定された装置間距離と，画像表示部１３４から提供された画像情報に対応付けられた視力測定結果を視力換算情報記憶部１２８から抽出する。
【００５９】
比較部１３６は，認識結果受信部１３２から提供された視力検査画像の認識結果と，画像表示部１３４から提供された画像情報とを比較する機能を有する。ユーザにより入力された視力検査画像の認識結果と表示された画像情報とが対応している場合には，ユーザの認識結果が正しいと判断し，対応していない場合には，ユーザの認識結果が誤っていると判断する。例えば，リモコンに十字ボタンが備えられており，画像表示部１３４には，円の一部が欠けた画像が表示されていたとする。画像表示部１３４に表示された視力検査画像は，円の右側が欠けており，ユーザにより十字ボタンの右側が押下されれば，ユーザの認識結果は正しいと判断される。また，画像表示部１３４に表示された円の下側が欠けており，ユーザにより十字ボタンの左側が押下されれば，ユーザの認識結果は誤っていると判断される。比較部１３６は，ユーザにより入力された視力検査画像の認識結果と表示された画像情報とを比較した結果を画像調整部１３８に提供する。
【００６０】
画像調整部１３８は，比較部１３６から提供された比較結果に応じて，画像表示部１３４に表示された視力検査画像の大きさを調整する機能を有する。画像調整部１３８は，画像表示部１３４に表示させる画像の大きさなどの画像情報を画像表示部１３４に提供する。画像表示部１３４は，画像調整部１３８に提供された画像情報に基づいて，表示された視力検査画像の大きさを変更する。例えば，比較部１３６の比較の結果，ユーザの認識が正しいと判断された場合には，表示された視力検査画像を変更せず，表示された視力検査画像から視力を測定するようにしてもよいし，表示された視力検査画像をさらに小さくするようにして，再度ユーザに認識結果を入力させるようにしてもよい。比較部１３６の比較の結果，ユーザの認識が誤っていると判断された場合には，表示された視力検査画像を大きくして，再度ユーザに認識結果を入力させるようにしてもよいし，直前に表示された視力検査画像から視力を測定するようにしてもよい。
【００６１】
このように，視力検査画像の大きさをユーザの認識結果に応じて変更することにより，視力を測定することができる。装置間距離を測定することにより，遠隔操作装置１０４を操作するユーザが情報処理装置１０２からどれくらい離れた場所に位置しているのかがわかるため，ユーザは，自身の位置する場所を留意することなく，視力を測定することが可能となる。また，上述したように，装置間距離に応じて表示された視力検査画像の大きさが変化し，装置間距離と視力検査画像との対応関係から視力を測定することが可能となるため，空間的制約のある場所においても，視力を測定することができる。また，本実施形態にかかる視力測定システムにおいては，テレビなどの情報処理装置１０２とリモコンなどの遠隔操作装置１０４を用いて実現でき，視力を測定するためだけの特殊な装置は不要であるため，一般家庭において，簡易な操作で日常的に視力を測定することが可能となる。
【００６２】
画像調整部１３８は，測定された装置間距離と，視力測定結果記憶部１３０に記憶された視力測定結果とに応じて，表示画像の大きさを調整するようにしてもよい。図７に，装置間距離と表示画像を説明する説明図を示した。図７に示したように，画像表示部１３４に表示された文字情報６３の大きさを変更するようにしてもよい。図７に示したように，情報処理装置１０２は，情報処理装置１０２と遠隔操作装置１０４との距離Ｘを測定し，距離Ｘとユーザ５０の視力測定結果から，文字情報６３の大きさを決定する。装置間距離と，文字情報の大きさと，視力測定結果の対応関係は，視力換算情報記憶部１２８に記憶された対応関係を用いることができる。
【００６３】
図８に，装置間距離と文字情報の大きさを説明する説明図を示した。例えば，ユーザ５０の視力測定結果が１．５であったとする。図８（ａ）に示したように情報処理装置１０２と遠隔操作装置１０４との装置間距離が１ｍであり，ユーザ５０の視力測定結果が１．５である場合には，文字情報６４を例えば６ドットとする。そして，図８（ｂ）に示したように，装置間距離が３ｍであり，ユーザの視力測定結果が１．５である場合には，文字情報６５を例えば１０ドットとする。
【００６４】
このように，視力測定結果に応じて表示された文字情報等を変化させることにより，ユーザが任意の場所に位置していても，ユーザに見やすい適切な表示を行うことが可能となる。また，ユーザ所望の文字情報の大きさを設定し，装置間距離に応じて設定された文字情報の大きさを相対的に変化させるようにしてもよい。この場合，画像表示部１３４のディスプレイの大きさに対して文字情報の大きさが必要以上に大きい場合には，文字情報以外の映像を覆わない程度に文字情報の大きさを設定するようにしてもよい。
【００６５】
画像調整部１３８は，測定距離記憶部１２４に記憶された２以上の装置間距離の測定値および測定値に関連付けられた時間情報に応じて，表示画像を変更するようにしてもよい。例えば，所定の間隔で装置間距離を測定し，装置間距離が一定時間以上変化している場合には，ユーザが連続的に同じ位置にいると判断して，表示画面に休憩を促す表示をしたり，視力測定を促す表示をしたりする。また，所定の間隔でそのような表示を行うようにしてもよい。これにより，視力低下や目の疲れを防止することが可能となる。さらに，ユーザが，画像表示部１３４のディスプレイの大きさに比べて，近い距離にいると判断した場合には，離れた位置に移動するよう促す表示を行ってもよい。
【００６６】
図９に，情報処理装置１０２における表示画像の変更を説明するフローチャートを示した。まず，画像表示部１３４に画像が表示される（Ｓ１２０）。そして，ユーザによりリモコン（遠隔操作装置１０４）のボタンが押下された否かを判定する（Ｓ１２２）。ステップＳ１２２においてリモコンのボタンが押下されたと判定された場合には，遠隔操作装置１０４との装置間距離を測定し，測定した時間を記録する（Ｓ１２４）。ステップＳ１２４の記録は，所定間隔ごと，またはユーザによりボタンが押下される都度行われる。ステップＳ１２４において記録された装置間距離の少なくとも２点の装置間距離が±５０ｃｍ変化したか否かを判定する（Ｓ１２６）。例えば，ボタンが押下された時点と，その直前の装置間距離を比較するようにしてもよい。
【００６７】
ステップＳ１２６において，装置間距離が変化していないと判定された場合に，ステップＳ１２６において比較した２点が記録された時間はｎ時間以上か否かを判定する。例えば，２点が記録された時間間隔がｎ時間以上である場合には，ボタンが押下された時点からその直前にボタンが押下された時点までにｎ時間以上経過したと判定される。ステップＳ１２８において，ｎ時間以上経過したと判定された場合に，表示画像を変更する（Ｓ１３０）。例えば，上述したように，ステップＳ１３０において，視力測定や休憩を促す表示を表示画像に表示させる。
【００６８】
以上，情報処理装置１０２および遠隔操作装置１０４の機能構成について説明した。次に，図６に基づいて，情報処理装置１０２が遠隔操作装置１０４の操作に応じて視力を測定する場合の，情報処理装置１０２が行う処理の流れについて説明する。
【００６９】
まず，情報処理装置１０２は，画像表示部１３４に画像を表示する（Ｓ１０２）。ステップＳ１０２において表示される画像は，テレビの映像等ユーザが視聴する画像でもよいし，視力測定用の視力検査画像であってもよい。情報処理装置１０２は，視力測定の開始通知を受信したか否かを判定する（Ｓ１０４）。ステップＳ１０２において，視力検査画像以外の画像が表示されている場合には，ステップＳ１０４において開始通知を受信した後に，画像を切り替えて視力検査画像を表示させるようにしてもよい。
【００７０】
ステップＳ１０４において，開始通知を受信したと判定した場合には，遠隔操作装置１０４との距離を測定する（Ｓ１０６）。そして，ユーザにより入力された認識結果を受信する（Ｓ１０８）。ステップＳ１０８において受信した認識結果と，表示された視力検査画像とが対応しているか否かを判定する（Ｓ１１２）。例えば，視力検査画像である円の一部の欠けた位置と，ユーザにより押下された遠隔操作装置１０４に備わる十字ボタンの位置とが一致する場合には，認識結果と視力検査画像とが対応していると判定する。
【００７１】
ステップＳ１１２において，受信した認識結果と表示された視力検査画像とが対応していると判定した場合には，表示されている視力検査画像の大きさとステップＳ１０６において測定した装置間距離とに対応付けられた視力測定結果を抽出する（Ｓ１１４）。ステップＳ１１４において抽出した視力測定結果を通知する（Ｓ１１６）。ステップＳ１１６における視力測定結果の通知方法としては，画像表示部１３４に表示するようにしてもよいし，遠隔操作装置１０４に送信して，遠隔操作装置１０４のディスプレイに表示させたり，音声で通知させたりするようにしてもよい。
【００７２】
ステップＳ１１２において，認識結果と視力検査画像とが対応していないと判定された場合には，表示された視力検査画像を調整する（Ｓ１１０）。例えば，視力検査画像である円の一部の欠けた位置と，ユーザにより押下された遠隔操作装置１０４に備わる十字ボタンの位置とが一致しない場合には，認識結果と視力検査画像とが対応していないと判定する。ステップＳ１１０における視力検査画像の調整としては，視力検査画像を表示されている視力検査画像よりも大きく表示するようにする。そして，ステップＳ１０８およびステップＳ１１２の処理を繰り返す。ステップＳ１１２において，認識結果と視力検査画像とが対応している場合に，表示された視力検査画像をさらに小さくして，再度ステップＳ１０８およびステップＳ１１２の処理を繰り返し，認識可能な視力検査画像を抽出するようにしてもよい。
【００７３】
以上，情報処理装置１０２の処理の流れについて説明した。第１実施形態にかかる視力測定システム１００によれば，情報処理装置１０２から遠隔操作装置１０４までの装置間距離と表示された視力検査画像の大きさから，装置間距離と視力検査画像に対応付けられた視力測定結果を抽出する。情報処理装置１０２により視力測定時の遠隔操作装置１０４との装置間距離が測定されるため，遠隔操作装置１０４を操作するユーザは，情報処理装置１０２との距離に留意しなくとも，視力を測定することが可能となる。また，測定された装置間距離に応じて視力検査画像の大きさを調整することができるため，空間的制約のある場所においても視力を測定することが可能となる。
【００７４】
（第２実施形態）
第２実施形態にかかる視力測定システム２００では，遠隔操作装置２０４が遠隔操作装置２０４から情報処理装置２０２までの距離を測定し，測定された距離等に応じて情報処理装置１０２に表示された画像の大きさの変更指示や，表示された画像の大きさから視力を測定したりする。まず，図１０に基づいて，情報処理装置２０２および遠隔操作装置２０４の機能構成について説明する。
【００７５】
遠隔操作装置２０４は，例えば，指示入力部２１０，距離測定部２１２，視力測定結果抽出部２１４，測定距離記憶部２１６，視力換算情報記憶部２１８，視力測定記憶部２２０，画像情報取得部２２２，画像調整指示部２２４，比較部２２６，認識結果入力部２２８などを備える。第１実施形態とほぼ同様の機能を有するものについては，詳細な説明を省略する。
【００７６】
指示入力部２１０は，第１実施形態の指示入力部１１０とほぼ同様の機能を有し，ユーザからの指示を入力し，入力された指示を距離測定部２１２に提供する。指示入力部２１０は，視力測定開始を指示する視力測定開始指示部の一例であり，第１実施形態と同様に，遠隔操作装置２０４にボタンを備え，ユーザによりボタンが押下された場合に，視力測定開始指示として距離測定部２１２に入力する。
【００７７】
距離測定部２１２は，第１実施形態において情報処理装置１０２に備えられる距離測定部１２２とほぼ同様の機能を有し，指示入力部２１０からの視力測定開始指示入力に応じて，遠隔操作装置２０４から情報処理装置２０２までの距離を測定する。
【００７８】
測定距離記憶部２１６は，第１実施形態において情報処理装置１０２に備えられる測定距離記憶部１２４とほぼ同様の機能を有し，装置間距離の測定値を，測定値が測定された時点を特定する時間情報と関連付けて記憶する。
【００７９】
視力測定結果抽出部２１４は，第１実施形態において情報処理装置１０２に備えられる視力測定結果抽出部１２６とほぼ同様の機能を有し，距離測定部２１２により測定された装置間距離の測定値と，情報処理装置２０２に表示された視力検査画像の大きさとに対応する視力測定結果を，視力換算情報記憶部２１８から抽出する機能を有する。視力換算情報記憶部２１８は，第１実施形態において情報処理装置１０２に備えられる視力換算情報記憶部１２８とほぼ同様の機能を有し，装置間距離と，視力測定の指標として表示される視力検査画像の大きさと，視力測定結果とが対応付けて記憶する。
【００８０】
視力測定結果記憶部２２０は，第１実施形態において情報処理装置１０２に備えられる視力測定結果記憶部１３０とほぼ同様の機能を有し，視力測定結果抽出部２１４により提供された視力測定結果を記憶する機能を有する。
【００８１】
画像情報取得部２２２は，情報処理装置２０２に表示された画像の画像情報を取得する機能を有する。画像情報としては，例えば，表示されている視力検査画像の大きさや，文字の大きさなどが挙げられる。画像情報取得部２２２は，情報処理装置２０２に表示された視力検査画像を取得してもよいし，視力検査画像の大きさの情報のみを取得するようにしてもよい。画像情報取得部２２２は，取得した画像情報を視力測定結果抽出部２１４および比較部２２６に提供する。
【００８２】
比較部２２６は，第１実施形態において情報処理装置１０２に備えられる比較部１３６とほぼ同様の機能を有し，画像情報取得部２２２から提供された画像情報と，認識結果入力部２２８から提供された視力検査画像の認識結果とを比較する。比較部２２６は，ユーザにより入力された視力検査画像の認識結果と表示された画像情報とを比較した結果を画像調整指示部２２４に提供する。
【００８３】
画像調整指示部２２４は，比較部２２６から提供された比較結果に応じて，情報処理装置２０２に対して，視力検査画像の大きさの調整を指示する。例えば，比較部２２６による比較の結果，ユーザの認識が正しいと判断された場合には，表示された視力検査画像をさらに小さくするように情報処理装置２０２に指示し，ユーザの認識が誤っていると判断された場合には，表示された視力検査画像を大きくするように情報処理装置２０２に指示する。また，画像調整指示部２２４は，測定された装置間距離と，視力測定結果記憶部２２０に記憶された視力測定結果とに応じて，表示画像の大きさの調整を指示するようにしてもよい。
【００８４】
画像調整指示部２２４は，測定距離記憶部２１６に記憶された２以上の装置間距離の測定値および測定値に関連付けられた時間情報に応じて，情報処理装置２０２に表示された表示画像の変更を指示するようにしてもよい。図１２に，遠隔操作装置２０４における表示画像の変更指示を説明するフローチャートを示した。まず，情報処理装置２０２に表示された画像情報を取得する（Ｓ２２０）。そして，ユーザにより遠隔操作装置２０４に備わるボタンが押下されたか否かを判定する（Ｓ２２２）。ステップＳ２２２においてボタンが押下されたと判定された場合には，情報処理装置１０２との装置間距離を測定し，測定した時間を記録する（Ｓ２２４）。ステップＳ２２４における記録は，所定時間ごと，またはユーザによりボタンが押下される都度行われる。ステップＳ２２４において記録された装置間距離の少なくとも２点の装置間距離が±５０ｃｍ変化したか否かを判定する（Ｓ２２６）。例えば，ボタンが押下された時点と，その直前の装置間距離を比較するようにしてもよい。
【００８５】
ステップＳ２２６において，装置間距離が変化していないと判定された場合に，ステップＳ２２６において比較した２点が記録された時間はｎ時間以上か否かを判定する。例えば，２点が記録された時間間隔がｎ時間以上である場合には，ボタンが押下された時点からその直前にボタンが押下された時点までにｎ時間以上経過したと判定される。ステップＳ２２８において，ｎ時間以上経過したと判定された場合に，表示画像の変更を指示する（Ｓ２３０）。例えば，ステップＳ２３０において，情報処理装置２０２の表示画面に視力測定や休憩を促す表示画像を表示させるよう指示する。
【００８６】
図１０に戻り，情報処理装置２０２は，例えば，画像情報送信部２３０および画像表示部２３２などを備える。画像情報送信部２３０は，画像表示部２３２に表示された画像の大きさや種類などの画像情報を遠隔操作装置２０４に送信する。画像表示部２３２は，遠隔操作装置２０４からの画像調整の指示を受けて，表示する視力検査画像の大きさや文字情報の大きさなどを変更して表示する。
【００８７】
以上，第２実施形態にかかる情報処理装置１０２および遠隔操作装置２０４の機能構成について説明した。次に，図１１に基づいて，遠隔操作装置２０４が情報処理装置２０２に表示された視力検査画像を用いて視力を測定する場合の，遠隔操作装置２０４が行う処理の流れについて説明する。
【００８８】
まず，遠隔操作装置２０４は，情報処理装置２０２に表示された画像を取得する（Ｓ２０２）。ステップＳ２０２において取得する画像は，テレビの映像等ユーザが視聴する画像または視力測定用の視力検査画像である。遠隔操作装置２０４は，遠隔操作装置２０４に備わるボタンが押下されたか否かを判定する（Ｓ２０４）。つまり，ボタンが押下されたことにより，ユーザにより，視力測定開始が指示されたか否かを判定する。ステップＳ２０２において，視力検査画像以外の画像が情報処理装置２０２に表示されている場合には，ステップＳ２０４において視力測定開始が指示された後に，情報処理装置２０２に対して，画像を切り替えて視力検査画像を表示させる指示を行ってもよい。
【００８９】
ステップＳ２０４において，ボタンが押下されたと判定された場合には，情報処理装置２０２との距離を測定する（Ｓ２０６）。そして，ユーザにより認識結果が入力され（Ｓ２０８），入力された認識結果と，情報処理装置２０２から取得した視力検査画像とが対応しているか否かを判定する（Ｓ２１２）。例えば，視力検査画像である円の一部の欠けた位置と，ユーザにより押下された遠隔操作装置２０４に備わる十字ボタンの位置とが一致する場合には，認識結果と視力検査画像とが対応していると判定する。
【００９０】
ステップＳ２１２において，入力された認識結果と表示された視力検査画像とが対応していると判定された場合には，取得した視力検査画像の大きさとステップＳ２０６において測定した装置間距離とに対応付けられた視力測定結果を抽出する（Ｓ２１４）。ステップＳ２１４において抽出した視力測定結果を通知する（Ｓ２１６）。ステップＳ２１６における視力測定結果の通知方法としては，遠隔操作装置２０４にディスプレイ等の表示画面を設けて，視力測定結果を表示させるようにしてもよいし，音声で通知してもよい。また，情報処理装置２０２の表示画面に表示させるようにしてもよい。
【００９１】
ステップＳ２１２において，認識結果と視力検査画像とが対応していないと判定された場合には，情報処理装置２０２に表示された視力検査画像の調整を指示する（Ｓ２１０）。例えば，視力検査画像である円の一部の欠けた位置と，ユーザにより押下された遠隔操作装置２０４に備わる十字ボタンの位置とが一致しない場合には，認識結果と視力検査画像とが対応していないと判定する。ステップＳ２１０における視力検査画像の調整指示としては，視力検査画像を表示されている視力検査画像よりも大きくする指示を行う。そして，ステップＳ２０８およびステップＳ２１２の処理を繰り返す。ステップＳ２１２において，認識結果と視力検査画像とが対応している場合に，表示された視力検査画像をさらに小さくするよう指示して，再度ステップＳ２０８およびステップＳ２１２の処理を繰り返し，認識可能な視力検査画像を抽出するようにしてもよい。
【００９２】
以上，遠隔操作装置２０４の処理の流れについて説明した。第２実施形態にかかる視力測定システム２００によれば，遠隔操作装置２０４から情報処理装置２０２までの装置間距離と，情報処理装置２０２に表示された視力検査画像の大きさから，装置間距離と視力検査画像に対応付けられた視力測定結果を抽出する。遠隔操作装置２０４により視力測定時の情報処理装置２０２との装置間距離が測定されるため，遠隔操作装置２０４を操作するユーザは，情報処理装置２０２との距離に留意しなくとも，視力を測定することが可能となる。また，測定された装置間距離に応じて視力検査画像の大きさを調整することができるため，空間的制約のある場所においても視力を測定することが可能となる。
【００９３】
また，上記２つの実施形態では，遠隔操作装置としては，リモコン等を例示して説明したが，かかる例に限定されず，例えば，図１３に示したような，ユーザの片目の視野を遮蔽する遮眼具であってもよい。遠隔操作装置１０４が遮眼具により構成される場合には，ユーザの目の位置と情報処理装置２０２との距離を測定することができ，リモコン等を用いて視力を測定する場合に比べ，より正確にユーザの視力を測定することが可能となる。また，片目を遮蔽して視力を測定することができるため，右目の視力と，左目の視力とを別々に測定することが可能となる。
【００９４】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【図面の簡単な説明】
【００９５】
【図１】本発明の第１の実施形態にかかる視力測定システムの概要を示す説明図である。
【図２】同実施の形態における情報処理装置と遠隔操作装置の機能構成を示すブロック図である。
【図３】同実施の形態における距離測定部の機能構成を示すブロック図である。
【図４】同実施の形態における視力換算情報記憶部の記憶内容を示す説明図である。
【図５】同実施の形態における装置間距離と視力検査画像の大きさを説明する説明図である。
【図６】同実施の形態における情報処理装置が行う処理の流れを示すフローチャートである。
【図７】同実施の形態における装置間距離と表示画像の関係を説明する説明図である。
【図８】同実施の形態における装置間距離と文字情報の大きさを説明する説明図である。
【図９】同実施の形態における情報処理装置の表示画像の変更処理を示すフローチャートである。
【図１０】本発明の第２の実施形態にかかる情報処理装置と遠隔操作装置の機能構成を示すブロック図である。
【図１１】同実施の形態における遠隔操作装置が行う処理の流れを示すフローチャートである。
【図１２】同実施の形態における遠隔操作装置が行う表示画像の変更指示処理の流れを示すフローチャートである。
【図１３】同実施の形態における遮眼具により構成された遠隔操作装置を示す説明図である。
【符号の説明】
【００９６】
１００，２００      視力測定システム
１０２，２０２      情報処理装置
１０４，２０４      遠隔操作装置
１１０，２１０      指示入力部
１１２      開始通知送信部
１１４，２２８      認識結果入力部
１２０      開始通知受信部
１２２，２１２      距離測定部
１２４，２１６      測定距離記憶部
１２６，２１４      視力測定結果抽出部
１２８，２１８      視力換算情報記憶部
１３０，２２０      視力測定結果記憶部
１３４，２３２      画像表示部
１３６，２２６      比較部
１３８      画像調整部
１５０      センサ部
１５２      距離計算部
２２４      画像調整指示部
【図１】
2007105097.tif 000003
【図２】
2007105097.tif 000004
【図３】
2007105097.tif 000005
【図４】
2007105097.tif 000006
【図５】
2007105097.tif 000007
【図６】
2007105097.tif 000008
【図７】
2007105097.tif 000009
【図８】
2007105097.tif 000010
【図９】
2007105097.tif 000011
【図１０】
2007105097.tif 000012
【図１１】
2007105097.tif 000013
【図１２】
2007105097.tif 000014
【図１３】
2007105097.tif 000015